(57)【特許請求の範囲】
【請求項１】
棒状に形成された支柱本体と、この支柱本体の下端部近傍において前記支柱本体に対して略平行に固定された固定杭挿通管と、前記支柱本体の所定の高さ位置において前記支柱本体に対して略平行に固定された２個の支持脚挿通管と、この支持脚挿通管に挿通された上端支軸部を軸として回転可能に結合され、前記支柱本体に対して所定の角度で傾斜した２本の支持脚と、前記支持脚挿通管に挿通された前記支持脚の上端支軸部を任意の角度で固定する固定具と、を備えることを特徴とする支柱。
【請求項２】
前記支持脚の下端部に支持杭挿通管を設けたことを特徴とする請求項１記載の支柱。
【発明の詳細な説明】
【０００１】
【発明の属する技術分野】
本発明は、建築施工現場となる敷地の周囲に仮囲いとしてシート等を張設する際に使用される支柱に関する。
【０００２】
【従来の技術】
一般に、建築施工現場においては、資材等が隣接地との境界を越えてはみ出すことを防止したり、外部の人間が不用意に建築施工現場に侵入することを防止したりするため、建築施工現場となる敷地の周囲にシートを張る等して仮囲いを設ける場合が多い。このような仮囲い５１としては、例えば、図６に示すように、敷地５２の各隅部５３にそれぞれ支柱５４を立設し、この支柱５４間に長尺のメッシュシート５５を張設して敷地５２の周囲を囲う構造のものが知られている。
【０００３】
そして、このような仮囲い５１に使用される前記支柱５４としては、図７に示すようなものが知られている。これは、棒状に形成された支柱本体５６と、この支柱本体５６の下端部近傍において支柱本体５６に対して略平行に、且つ上下に２箇所に固定された固定杭ガイド５７と、支柱本体５６の所定の高さ位置に上端部５８が結合され、下端部５９に支持杭ガイド６０が設けられ、支柱本体５６に対して下方へ広がるように所定の角度で傾斜した２本の支持脚６１とを備えるものである。
【０００４】
ここで、支持脚６１の上端部５８と支柱本体５６との結合部分については、支柱本体５６の所定の高さ位置に、側方に突出する２枚の接続板６２が相互に略直角に設けられており、この２枚の接続板６２のそれぞれに対して支持脚６１の上端部５８が固定された構造となっている。すなわち、２本の支持脚６１は相互に略直角に配置される。そして、固定杭ガイド５７に固定杭６３が挿通されて地面６４に打ち込まれるとともに、２本の支持脚６１のそれぞれの支持杭ガイド６０にも支持杭６５が挿通されて地面６４に打ち込まれることにより、支柱５４が立設される。
【０００５】
このようにして立設された支柱５４には、そこに張設されるメッシュシート５５による引張力が作用する。そこで、メッシュシート５５による引張力に対抗して効率的に支柱５４を支持し、なおかつ、建築施工の邪魔にならないようにするため、支持脚６１は、引張力の作用する方向に対して平行となるように、メッシュシート５５の内側に沿って平行に配置される。
【０００６】
【発明が解決しようとする課題】
しかしながら、このような従来の支柱５４では、以下のような問題があった。すなわち、建築施工現場となる敷地は、常に長方形や正方形等のすべての隅部が直角な形状であるとは限らず、鋭角や鈍角の隅部を有する敷地も存在する。従来の支柱５４は、前述の通り、２本の支持脚６１が相互に略直角となるように固定されているため、そのような鋭角や鈍角の隅部に配置された場合には、支持脚６１をメッシュシート５５の内側に沿って平行に配置することができず、引張力に対抗して効率的に支柱５４を支持することができるないという問題があった。また、鋭角の隅部５３に配置された場合には支持脚６１とメッシュシート５５とが当たることとなってメッシュシート５５をきれいに張設することができず、鈍角の隅部５３に配置された場合には支持脚６１が敷地５２の中央側に突出して配置されることとなって建築施工の邪魔になるなど、好適に使用することができないという問題があった。
【０００７】
本発明は、上記課題に鑑みてなされたものであり、任意の角度の隅部において、支持脚を仮囲い用のシート等の内側に沿って平行に配置することができるようにすることにより、建築施工現場となる敷地の形状に関係なく好適に使用することができる支柱を提供することを技術課題とするものである。
【０００８】
【課題を解決するための手段】
上記技術課題を解決するための具体的手段は、次のようなものである。すなわち、請求項１に記載する支柱は、棒状に形成された支柱本体と、この支柱本体の下端部近傍において前記支柱本体に対して略平行に固定された固定杭挿通管と、前記支柱本体の所定の高さ位置において前記支柱本体に対して略平行に固定された２個の支持脚挿通管と、この支持脚挿通管に挿通された上端支軸部を軸として回転可能に結合され、前記支柱本体に対して所定の角度で傾斜した２本の支持脚と、前記支持脚挿通管に挿通された前記支持脚の上端支軸部を任意の角度で固定する固定具と、を備えることを特徴とするものである。
【０００９】
請求項２に記載する支柱は、請求項１に記載する構成において、前記支持脚の下端部に支持杭挿通管を設けたことを特徴とするものである。
【００１１】
【発明の実施の形態】
以下、本発明に係る支柱１について図面に基づいて説明する。図１は本発明の実施形態に係る支柱１の正面から見た斜視図であり、図２は支柱１を側面から見た斜視図であり、図３は支柱１の平面図である。これらの図に示すように、本発明の実施形態に係る支柱１は、棒状に形成された支柱本体２と、この支柱本体２の下端部近傍において支柱本体２に対して略平行に固定された固定杭挿通管３と、支柱本体２の所定の高さ位置において支柱本体２に対して略平行に固定された２個の支持脚挿通管４と、この支持脚挿通管４に挿通された上端支軸部５を軸として回転可能に結合され、支柱本体２に対して所定の角度で傾斜した２本の支持脚６とを備えるものである。以下更に詳細に説明する。
【００１２】
前記支柱本体２は、支柱１の本体となる柱部分であって、棒状に形成されている。ここでは軽量化等のため、円管により構成されている。支柱本体２の高さは、この支柱１を用いて構成する仮囲い７において敷地８（図５参照）の周囲に張設するメッシュシート９の高さよりも若干高くなるようにすると好適である。この高さは通常は１．５ｍ前後である。支柱本体２の下端部には、砂や泥が詰まることを防止するために底板１０を設けると好適である。なお、図示しないが、支柱本体２の下端部に高さ調節機能を備えたジャッキを設けることも可能である。これにより、地面１１に多少の凹凸が有る場合であっても、支柱１の高さを調節して隣接する支柱１の高さに合わせることが可能となる。
【００１３】
また、支柱本体２の上端部及び下端部には、メッシュシート９を支柱１に取り付ける際に使用する留付バンド１２を巻き掛けるための取付フック１３が設けられている。固定杭挿通管３が設けられている方向を支柱本体２の正面とすると、この取付フック１３は、支柱本体２の両側方に突出して設けられた縦長の棒状体や輪状体で構成される。ここでは、略Ｕ字型に湾曲させた棒状体の湾曲部分を支柱本体２の背面側から溶接等により固定することによって、その直線部分を、支柱本体２の両側方に突出して支柱本体２に対して平行に設けられた取付フック１３としている。なお、図６の従来例において示したように、取付フック１３が設けられない場合もあり、その場合には、支柱本体２に対して直接に留付バンド１２が巻き掛けられる。
【００１４】
前記固定杭挿通管３は、支柱本体２の下端部近傍において支柱本体２に対して略平行に固定された円管であり、内部に固定杭１４が挿通される挿通孔が形成されている。この固定杭挿通管３に固定杭１４を挿通して地面１１に打ち込むことにより、支柱本体２を地面１１に固定することができる。ここでは、固定杭挿通管３は、２個の連結部１５を介して支柱本体２に対して所定距離だけ離れた位置に固定されている。このようにすることにより、固定杭挿通管３に挿通した固定杭１４をハンマー等により地面１１に打ち込む作業を行なう際に、支柱本体２が邪魔になることがなく容易に作業を行なうことができる。なお、ここでは、便宜上、固定杭挿通管３が設けられている方向を支柱本体２の正面とする。
【００１５】
また、固定杭挿通管３には、挿通された固定杭１４をがたつきなく確実に固定するための固定具１６が設けられている。具体的には、本実施形態においては、固定具１６として２本の固定用ボルト１７を用いている。すなわち、固定杭挿通管３の上部及び下部の所定位置にはそれぞれ雌ねじが形成されており、固定杭１４を挿通した状態で固定用ボルト１７を螺入させることにより、固定用ボルト１７の先端で固定杭１４を固定杭挿通管３の内面に押しつけて固定する構造となっている。ここでは、固定用ボルト１７は、頭部が輪状に形成されたアイボルトとしている。これにより、頭部の穴にレンチ等の棒状のものを指し込むことができるので、容易に強い力で固定用ボルト１７を回転させて締め付けることが可能となる。なお、固定用ボルト１７の頭部の形状はこれに限定されるものではなく、蝶ボルト等とすることも可能である。
【００１６】
前記支持脚挿通管４は、支柱本体２の所定の高さ位置において支柱本体２に対して略平行に固定された２本の円管であり、内部に支持脚６の上端支軸部５が挿通される挿通孔が形成されている。この支持脚挿通管４に支持脚６の上端支軸部５を挿通することにより、支持脚６を回転可能に結合することができる。ここでは、２本の支持脚挿通管４は、支柱本体２の正面側に並列に固定されている。より詳しくは、２本の支持脚挿通管４は、支持杭挿通管４近傍の拡大平面図である図４に示すように、各支持脚挿通管４の中心軸と支柱本体２の中心軸とを結ぶ２本の直線Ｌが略直角に交差し、なおかつ、この２本の直線Ｌの中央に固定杭挿通管３が位置する方向に配置されている。これは、一般的に建築施工現場となる敷地の隅部として最も多い直角の隅部に配置する場合に、支持脚６を最も好適にメッシュシート９の内側に沿って配置することができるようにしたものである。なお、支持脚挿通管４の設けられる高さ位置については、任意の高さ位置とすることが可能であるが、低すぎる場合には、支持脚６により支柱本体２を安定して支持することが困難となり、高すぎる場合には安定して支持することが可能であるが、長い支持脚６が必要となるため、実際には、支柱本体２の中央部よりやや上方の位置に設けるのが好適である。
【００１７】
また、支持脚挿通管４には、挿通された支持脚６の上端支軸部５をがたつきなく確実に任意の角度で固定するための固定具１８が設けられている。具体的には、前述の固定杭挿通管３の固定具１６と同様に、固定具１８として固定用ボルト１７を用いている。すなわち、支持脚挿通管４の中央部近傍の所定位置には雌ねじが形成されており、支持脚６の上端支軸部５を挿通した状態で固定用ボルト１７を螺入させることにより、固定用ボルト１７の先端で上端支軸部５を支持脚挿通管４の内面に押しつけて固定する構造となっている。ここでは、固定用ボルト１７は、前述の固定杭挿通管３の場合と同様に、頭部が輪状に形成されたアイボルトとしている。なお、固定用ボルト１７の頭部の形状はこれに限定されるものではなく、蝶ボルト等とすることも可能である。
【００１８】
前記支持脚６は、支持脚挿通管４に挿通された上端支軸部５を軸として回転可能に結合され、支柱本体２に対して所定の角度で傾斜した２本の棒状体である。すなわち、支持脚６は、支柱本体２と地面１１との間を斜めに接続する斜材であって、支柱本体２に対して下方へ広がるように所定の角度で傾斜して配置される。そして、上端部には上端支軸部５が形成されており、この上端支軸部５を支柱本体２の支持脚挿通管４に挿通することにより、支柱本体２に結合されている。また、下端部には、支持杭挿通管１９が設けられ、この支持杭挿通管１９に支持杭２０を挿通して地面１１に打ち込むことにより、地面１１に固定されている。
【００１９】
支持脚６の上端支軸部５は、支持脚本体２１の上端部に連結された、支持杭挿通管１９に挿入可能な丸棒体で構成される。この上端支軸部５と支持脚本体２１との連結部２２は、上端支軸部５の下端部に形成された連結板２３と支持脚本体２１の端部とをボルト及びナットにより結合して構成されており、ボルト及びナットの締結を緩めることによって、上端支軸部５と支持脚本体２１とのなす角度を適宜に調節することができるようになっている。
【００２０】
また、支持脚６は、上端支軸部５を支持脚挿通管４に挿通することにより、この上端支軸部５を軸として支柱本体２に対して回転可能に結合されている。したがって、２本の支持脚６は、図３に示すように、それぞれ任意の方向に配置することが可能であるので、この支柱１を用いて仮囲い７を設ける敷地８（図５参照）の隅部２４の角度に合致する方向、すなわち、各隅部２４に配置された支柱１間に張設されたメッシュシート９の内側に沿って平行な方向に支持脚６を配置することができる。これにより、支持脚６がメッシュシート９に当たったり、敷地８の中央側に突出して建築施工の邪魔になる等のことを防止することができ、任意の角度の隅部２４において好適に配置することができる。また、支持脚６をメッシュシート９の引張力の作用する方向に対して平行に配置して効率的に支柱本体２を支持することができる。そして、支持脚６の方向を敷地８の隅部２４の角度に合わせた後は、支持脚挿通管４の固定具１８により方向を固定する。なお、図においては、上端支軸部５を支持脚挿通管４の下方から挿入した状態を示しているが、上端支軸部５を支持脚挿通管４の上方から挿入して連結することも可能である。
【００２１】
支持脚６の支持杭挿通管１９は、支持脚本体２１の下端部に連結された円管であり、内部に支持杭２０が挿通される挿通孔が形成されている。この支持杭挿通管１９に支持杭２０を挿通して地面１１に打ち込むことにより、支持脚６を地面１１に固定することができる。この支持杭挿通管１９と支持脚本体２１との連結部２５は、支持杭挿通管１９の背面に突出して形成された連結板２６と支持脚本体２１の端部とをボルト及びナットにより結合して構成されており、ボルト及びナットの締結を緩めることによって、支持脚本体２１に対する支持杭挿通管１９の角度を適宜に調節することができるようになっている。
【００２２】
また、支持杭挿通管１９には、挿通された支持杭２０をがたつきなく確実に固定するための固定具２７が設けられている。具体的には、前述の固定杭挿通管３の固定具１６や支持脚挿通管４の固定具１８と同様に、固定具２７として固定用ボルト１７を用いている。すなわち、支持杭挿通管１９の中央部近傍の所定位置には雌ねじが形成されており、支持杭２０を挿通した状態で固定用ボルト１７を螺入させることにより、固定用ボルト１７の先端で支持杭２０を支持杭挿通管１９の内面に押しつけて固定する構造となっている。ここでは、固定用ボルト１７は、前述の固定杭挿通管３や支持脚挿通管４の場合と同様に、頭部が輪状に形成されたアイボルトとしている。なお、固定用ボルト１７の頭部の形状はこれに限定されるものではなく、蝶ボルト等とすることも可能である。
【００２３】
次に、本実施形態に係る支柱１を用いた仮囲い７の構造について説明する。図５は、建築施工現場となる敷地８の周囲に仮囲い７を設けた状態を示す斜視図である。この図に示すように、本実施形態に係る支柱１を用いた仮囲い７は、支柱１を敷地８の各隅部２４にそれぞれ立設して配置し、この支柱１間に長尺のメッシュシート９を張設することにより敷地８の周囲を囲う構造である。この際、図１及び図２にも示すように、メッシュシート９は、その両側端縁に支持棒２８が固定されており、この支持棒２８と支柱本体２の取付フック１３とに留付バンド１２を巻き掛けるて固定することにより、支柱１間に張設されている。ここで、支持棒２８は、メッシュシート９の上下方向の高さよりも若干長い全長を有し、その上端部及び下端部には、支柱本体２の取付フック１３に対応して、留付バンド１２を巻き掛けるための取付リング２９が設けられている。この支持棒２８のメッシュシート９への取付けは、メッシュシート９の側端縁を袋状に加工してその中に支持棒２８を挿通し、あるいは、図示しないが、メッシュシート９の側端縁を支持棒２８の周囲に巻き付けた状態でクリップ等の留付具を用いて固定する等の方法により行なう。留付バンド１２としては、帯状に形成したナイロンバンドに所定の固定金具を設けたもの等を使用することができる。
【００２４】
以上、本実施形態に係る支柱１を用いてメッシュシート９を張設する仮囲い７の構造について説明したが、この支柱１の用途はこれに限定されるものではなく、例えば、メッシュシート９に代えてワイヤーや有刺鉄線等の他の部材を建築施工現場となる敷地８の周囲に張設して仮囲い７を設ける場合等にも使用することが可能である。
【００２５】
【発明の効果】
以上説明したように、本発明の請求項１に係る支柱によれば、支柱本体の所定の高さ位置において支柱本体に対して略平行に固定された２個の支持脚挿通管と、この支持脚挿通管に挿通された上端支軸部を軸として回転可能に結合され、前記支柱本体に対して所定の角度で傾斜した２本の支持脚と、前記支持脚挿通管に挿通された前記支持脚の上端支軸部を任意の角度で固定する固定具と、を備えることにより、２本の前記支持脚は、それぞれ任意の方向に配置することが可能であるので、仮囲いを設ける敷地の隅部の角度に合致する方向、すなわち、各隅部に配置された支柱間に張設されたメッシュシートの内側に沿って平行な方向に前記支持脚を配置することができる。これにより、前記支持脚がメッシュシートに当たったり、敷地の中央側に突出して建築施工の邪魔になる等のことを防止することができるので、前記支柱を任意の角度の隅部において好適に配置することができる。また、前記支持脚をメッシュシートの引張力の作用する方向に対して平行に配置することができるので、効率的かつ確実に前記支柱本体を支持することができる。また、支持脚の方向を敷地の隅部の角度に合わせた後、前記固定具を閉め付けることにより前記支持脚をその方向に固定することができる。
【００２７】
本発明の請求項２に係る支柱によれば、上述の効果に加えて、前記支持脚の下端部に支持杭挿通管を設けたことにより、この支持杭挿通管に支持杭を挿通して地面に打ち込み、支持脚を地面に確実に固定することができるので、メッシュシートの引張力に対抗して確実に支柱を支持することができる。
【図面の簡単な説明】
【図１】本発明の実施形態に係る支柱の正面から見た状態を示す斜視図である。
【図２】本発明の実施形態に係る支柱の側面から見た状態を示す斜視図である。
【図３】本発明の実施形態に係る支柱の平面図である。
【図４】本発明の実施形態に係る支柱の支持杭挿通管近傍の拡大平面図である
【図５】本発明の実施形態に係る支柱を用いた仮囲いを示す斜視図である。
【図６】従来例に係る仮囲いを示す斜視図である。
【図７】従来例に係る仮囲いに使用される支柱を示す斜視図である。
【符号の説明】
１  支柱
２  支柱本体
３  固定杭挿通管
４  支持脚挿通管
５  支持脚の上端支軸部
６  支持脚
７  仮囲い
８  敷地
９  メッシュシート
１１  地面
１２  留付バンド
１３  取付フック
１４  固定杭
１６  固定杭の固定具
１７  固定用ボルト
１８  支持脚の固定具
１９  支持杭挿通管
２０  支持杭
２１  支持脚本体
２４  敷地の隅部
２７  支持杭の固定具
２８  支持棒
【図１】
0003847082.tif 000002
【図２】
0003847082.tif 000003
【図３】
0003847082.tif 000004
【図４】
0003847082.tif 000005
【図５】
0003847082.tif 000006
【図６】
0003847082.tif 000007
【図７】
0003847082.tif 000008